(57)【要約】【課題】鏡筒に圧入されるレンズの光学面の歪を抑制し、レンズ及び光学ユニットの光学性能を高める。【解決手段】光学ユニット１の鏡筒５に圧入されるレンズ３Ａは、光軸ｘと平行な最外周面２０Ａと、第１光学面２１と、第２光学面２２と、第１フランジ面２３と、第２フランジ面２４と、を備え、レンズ中心面ＳＳ１は最外周面２０Ａと交差しており、且つフランジ中心面ＳＳ２に対して第３面Ｓ３側に偏倚しており、第１フランジ面２３は、第３面Ｓ３から第１面Ｓ１までの範囲に設けられており、第２フランジ面２４は、光軸ｘを中心とする環状の第２フランジ面側凹部２５Ａを有し、第２フランジ面側凹部２５Ａの底２６は、レンズ中心面ＳＳ１よりも第４面Ｓ４側に配置されている。【選択図】図２
2018066907.tif 000002
【特許請求の範囲】
【請求項１】
光軸と平行な最外周面と、
一方の第１光学面の外縁と前記最外周面の光軸方向の一端との間の第１フランジ面と、
他方の第２光学面の外縁と前記最外周面の光軸方向の他端との間の第２フランジ面と、
を備え、
前記光軸と前記第１光学面との交点を通り前記光軸と直交する平面を第１面とし、前記光軸と前記第２光学面との交点を通り前記光軸と直交する平面を第２面とし、前記第１面と前記第２面との間の中央を通り前記光軸と直交する平面をレンズ中心面として、前記レンズ中心面は前記最外周面と交差しており、
前記レンズ中心面から光軸方向に最も離れた前記第１フランジ面上の点を通り前記光軸と直交する平面を第３面とし、前記レンズ中心面から光軸方向に最も離れた前記第２フランジ面上の点を通り前記光軸と直交する平面を第４面とし、前記第３面と前記第４面との間の中央を通り前記光軸と直交する面をフランジ中心面として、前記レンズ中心面は前記フランジ中心面に対して前記第３面側に偏倚しており、
前記第１フランジ面は、前記第３面から前記第１面までの範囲に設けられており、
前記第２フランジ面は、前記光軸を中心とする環状の第２フランジ面側凹部を有し、
前記第２フランジ面側凹部の底は、前記レンズ中心面よりも前記第４面側に配置されているレンズ。
【請求項２】
請求項１記載のレンズであって、
前記第２フランジ面側凹部は溝であるレンズ。
【請求項３】
請求項２記載のレンズであって、
前記第２光学面は凹面であり、
前記第２フランジ面側凹部の底は、前記第２面上又は前記第２面よりも前記第４面側に配置されているレンズ。
【請求項４】
請求項１から３のいずれか一項記載のレンズであって、
前記第２フランジ面側凹部の底を通り前記光軸と直交する平面を第５面とし、前記第１面と前記第２面との間の距離をＤ１とし、前記第５面と前記レンズ中心面との間の距離をＤ２とし、前記第５面と前記第３面との間の距離をＤ３として、下式を満たすレンズ。
｜Ｄ３×０．５−Ｄ２｜≦Ｄ１×０．１０
【請求項５】
請求項１記載のレンズであって、
前記第１フランジ面は、前記光軸を中心とする環状の第１フランジ面側凹部を有するレンズ。
【請求項６】
請求項５記載のレンズであって、
前記第１フランジ面側凹部及び前記第２フランジ面側凹部の少なくとも一方は、溝であるレンズ。
【請求項７】
請求項５又は６記載のレンズであって、
前記第２フランジ面側凹部の底を通り前記光軸と直交する平面を第５面とし、前記第１フランジ面側凹部の底を通り前記光軸と直交する平面を第６面とし、前記第１面と前記第２面との間の距離をＤ１とし、前記第５面と前記レンズ中心面との間の距離をＤ２とし、前記第５面と前記第６面との間の距離をＤ４として、下式を満たすレンズ。
｜Ｄ４×０．５−Ｄ２｜≦Ｄ１×０．１０
【請求項８】
請求項１から３のいずれか一項記載の前記レンズを含む一つ以上の光学素子と、
前記光学素子を収容している鏡筒と、
を備え、
前記レンズの前記最外周面に対向する前記鏡筒の領域をレンズ固定部として、前記レンズ固定部は、前記レンズの前記最外周面の前記第４面側の一部と嵌合した状態で前記レンズが圧入されており且つ前記レンズ中心面と交差している嵌合部と、前記レンズの前記最外周面の前記第３面側の残部との間に隙間をあけて対向する非嵌合部とを有する光学ユニット。
【請求項９】
請求項８記載の光学ユニットであって、
前記第２フランジ面側凹部の底を通り前記光軸と直交する平面を第５面とし、前記嵌合部と前記非嵌合部との境界を通り前記光軸と直交する面を第７面とし、前記第１面と前記第２面との間の距離をＤ１とし、前記第５面と前記レンズ中心面との間の距離をＤ２とし、前記第５面と前記第７面との間の距離をＤ５として、下式を満たす光学ユニット。
｜Ｄ５×０．５−Ｄ２｜≦Ｄ１×０．１０
【請求項１０】
請求項１から７のいずれか一項記載の前記レンズを含む複数の光学素子と、
前記光学素子を収容している鏡筒と、
を備え、
前記レンズの前記最外周面に対向する前記鏡筒の領域をレンズ固定部として、前記レンズ固定部は、前記レンズの前記最外周面の全体と嵌合した状態で前記レンズが圧入されている光学ユニット。
【請求項１１】
請求項８から１０のいずれか一項記載の光学ユニットであって、
前記光学素子に絞りを含み、
前記レンズは前記絞りに隣設されている光学ユニット。
【請求項１２】
請求項８から１１のいずれか一項記載の、車載用又は監視用の光学ユニット。
【発明の詳細な説明】
【技術分野】
【０００１】
本発明は、レンズ及び光学ユニットに関する。
【背景技術】
【０００２】
レンズが鏡筒に収容されてなる光学ユニットにおいて、レンズ及び鏡筒は温度変化に応じて膨張又は収縮し、このためレンズは鏡筒に圧入されており、鏡筒に圧入されたレンズには径方向の圧縮力が作用する。そして、レンズと鏡筒とで材料が相違することに起因して両者の膨張又は収縮に差が生じ、膨張又は収縮の差に起因してレンズに作用する圧縮力が増減する。このように変化する圧縮力は、例えばレンズの光学面に歪を生じさせる虞があり、光学面の歪みはレンズ及び光学ユニットの光学性能を低下させる虞がある。
【０００３】
特許文献１に記載されたレンズユニットでは、鏡筒に圧入されたレンズにおいて、鏡筒との嵌合面によって囲まれる部分のうち嵌合面の光軸方向長さの５０％以上の部分が中実に形成されている。レンズに作用する圧縮力は嵌合面に負荷されるところ、嵌合面によって囲まれる部分に設けられた中実部分が梁となって圧縮力を受け止めることにより、光学面の変形が抑制されている。
【先行技術文献】
【特許文献】
【０００４】
【特許文献１】特開２０１４−１７０１２４号公報
【発明の概要】
【発明が解決しようとする課題】
【０００５】
レンズの光学面に歪が生じる主たる要因の一つとしてレンズの撓みが挙げられる。嵌合面に負荷される分布荷重としての圧縮力を、嵌合面を光軸方向に二等分する円周上に負荷される等価な集中荷重に置き換え、この集中荷重が負荷される嵌合面上の円周が、レンズの中心、すなわちレンズの一方の光学面の光軸との交点と他方の光学面の光軸との交点との間の中点に対して光軸方向にずれている場合に、レンズの中心まわりの曲げモーメントが発生する。この曲げモーメントはレンズを撓ませる。
【０００６】
特許文献１に記載されたレンズユニットのレンズでは、嵌合面に負荷される圧縮力と等価な集中荷重が負荷される嵌合面上の円周が、レンズの中心に対して光軸方向にずれている。このため、圧縮力に対してレンズが撓みやすく、レンズの光学面に歪が生じる虞がある。
【０００７】
本発明は、上述した事情に鑑みなされたものであり、鏡筒に圧入されるレンズの光学面の歪を抑制し、レンズ及び光学ユニットの光学性能を高めることを目的とする。
【課題を解決するための手段】
【０００８】
本発明の一態様のレンズは、光軸と平行な最外周面と、一方の第１光学面の外縁と上記最外周面の光軸方向の一端との間の第１フランジ面と、他方の第２光学面の外縁と上記最外周面の光軸方向の他端との間の第２フランジ面と、を備え、上記光軸と上記第１光学面との交点を通り上記光軸と直交する平面を第１面とし、上記光軸と上記第２光学面との交点を通り上記光軸と直交する平面を第２面とし、上記第１面と上記第２面との間の中央を通り上記光軸と直交する平面をレンズ中心面として、上記レンズ中心面は上記最外周面と交差しており、上記レンズ中心面から光軸方向に最も離れた上記第１フランジ面上の点を通り上記光軸と直交する平面を第３面とし、上記レンズ中心面から光軸方向に最も離れた上記第２フランジ面上の点を通り上記光軸と直交する平面を第４面とし、上記第３面と上記第４面との間の中央を通り上記光軸と直交する面をフランジ中心面として、上記レンズ中心面は上記フランジ中心面に対して上記第３面側に偏倚しており、上記第１フランジ面は、上記第３面から上記第１面までの範囲に設けられており、上記第２フランジ面は、上記光軸を中心とする環状の第２フランジ面側凹部を有し、上記第２フランジ面側凹部の底は、上記レンズ中心面よりも上記第４面側に配置されている。
【０００９】
また、本発明の一態様の光学ユニットは、上記レンズを含む一つ以上の光学素子と、上記光学素子を収容している鏡筒と、を備え、上記レンズの上記最外周面に対向する上記鏡筒の領域をレンズ固定部として、上記レンズ固定部は、上記レンズの上記最外周面の上記第４面側の一部と嵌合した状態で上記レンズが圧入されており且つ上記レンズ中心面と交差している嵌合部と、上記レンズの上記最外周面の上記第３面側の残部との間に隙間をあけて対向する非嵌合部とを有する。
【００１０】
また、本発明の一態様の光学ユニットは、上記レンズを含む複数の光学素子と、上記光学素子を収容している鏡筒と、を備え、上記レンズの上記最外周面に対向する上記鏡筒の領域をレンズ固定部として、上記レンズ固定部は、上記レンズの上記最外周面の全体と嵌合した状態で上記レンズが圧入されている光学ユニット。
【発明の効果】
【００１１】
本発明によれば、鏡筒に圧入されるレンズの光学面の歪を抑制し、レンズ及び光学ユニットの光学性能を高めることができる。
【図面の簡単な説明】
【００１２】
【図１】本発明の実施形態を説明するための、光学ユニットの一例の断面図である。
【図２】図１の光学ユニットに含まれるレンズの詳細な断面図である。
【図３】図２のレンズの光学面の面形状変化量の一例のグラフである。
【図４】図１のレンズの変形例を鏡筒に収容された状態にて示す断面図である。
【図５】本発明の実施形態を説明するための、レンズの他の例を鏡筒に収容された状態にて示す断面図である。
【図６】図５のレンズの光学面の面形状変化量の一例のグラフである。
【図７】本発明の実施形態を説明するための、光学ユニットの他の例の要部断面図である。
【発明を実施するための形態】
【００１３】
図１は、本発明の実施形態を説明するための、光学ユニットの一例を示し、図２は、図１の光学ユニットに含まれるレンズを示す。
【００１４】
図１に示す光学ユニット１は、第１レンズ２と、第２レンズ３Ａと、絞り４と、これら第１レンズ２、第２レンズ３Ａ、及び絞り４を収容している鏡筒５とを備える。第１レンズ２は最も被写体側に配置されており、第２レンズ３Ａは第１レンズ２の像側に配置され、絞り４は第２レンズ３Ａの像側に配置されている。なお、レンズの枚数、絞りの配置等の構成は、図示の例に限定されず、光学ユニットの設計に応じて適宜変更可能である。
【００１５】
鏡筒５は、第１レンズ固定部１０と、第２レンズ固定部１１とを有する。第２レンズ固定部１１は第１レンズ固定部１０よりも小径に形成されており、第１レンズ固定部１０と第２レンズ固定部１１との間には第１段部１２が設けられている。また、第２レンズ固定部１１の像側にも同様に第２段部１３が設けられている。
【００１６】
第１レンズ２は、第１段部１２と当接する位置まで鏡筒５に挿入され、第１段部１２と当接することによって鏡筒５の内部で軸方向に位置決めされている。そして、第１レンズ２は、第１段部１２と当接した状態で第１レンズ固定部１０に圧入されており、第１レンズ固定部１０に圧入されることによって鏡筒５に固定されている。
【００１７】
第２レンズ３Ａは、絞り４が載置された第２段部１３と当接する位置まで鏡筒５に挿入され、絞り４を介して第２段部１３と当接することによって鏡筒５の内部で軸方向に位置決めされている。そして、第２レンズ３Ａは、第２段部１３と当接した状態で第２レンズ固定部１１に圧入されており、第２レンズ固定部１１に圧入されることによって鏡筒５に固定されている。
【００１８】
絞り４は、第２レンズ３Ａと第２段部１３との間に挟み込まれることによって、鏡筒５の内部で軸方向に位置決めされ且つ鏡筒５に固定されている。
【００１９】
第１レンズ２及び第２レンズ３Ａの材料としては、例えばシクロオレフィンポリマー（Cyclo Olefin Polymer：ＣＯＰ）、ポリメチルメタクリレート（Polymethyl methacrylate：ＰＭＭＡ）等の樹脂材料、及び石英ガラス等のガラス材料を用いることができる。
【００２０】
鏡筒５は、一例として、無機繊維含有の樹脂で構成することができる。鏡筒５を、無機繊維等を含有する所謂無機繊維強化プラスチック製とすることにより、機械的強度が高くなる。使用する樹脂としては、例えば、ポリアミド、ポリアセタール、ポリカーボネート、ポリフェニレンエーテル、ポリブチレンテレフタレート、ポリエチレンテレフタレート、ポリエチレン、シンジオタクチックポリスチレン、ポリサルホン、ポリエーテルサルホン、ポリフェニレンスルファイド、ポリアリレート、ポリアミドイミド、ポリエーテルイミド、ポリエーテルエーテルケトン、アクリロニトリルブダジエンスチレン、ポリオレフィン及び各々の変性ポリマーからなる群より選択される少なくとも一種、又は上記の群から選択される少なくとも一種を含むポリマーアロイなどを用いることができる。繊維としては、ガラス繊維、炭素繊維、繊維強化プラスチック、無機フィラー等を用いることができる。
【００２１】
なお、鏡筒５は、高い遮光性及び光吸収性が要求される。使用する樹脂は黒色であることが好ましく、上記の樹脂材料は黒色顔料又は黒色染料を含むことが好ましい。黒色顔料又は黒色染料を含む樹脂材料によって鏡筒５を構成することにより、鏡筒５の内壁面を黒色とすることができ、鏡筒５の内壁面における可視光の反射をより有効に抑制することができる。
【００２２】
また、鏡筒５は、光軸方向の熱膨張係数が光軸と直交する方向の熱膨張係数よりも小さいことが好ましい。熱膨張による光軸方向の変化量を小さくして解像度低下への影響を小さくすることができるためである。上記の繊維の配向方向を、光軸に沿った方向とすることにより、光軸方向の熱膨張係数を光軸と直交する方向の熱膨張係数よりも小さくすることができる。
【００２３】
鏡筒５の第１レンズ固定部１０に圧入されている第１レンズ２には径方向の圧縮力が作用する。鏡筒５の第２レンズ固定部１１に圧入されている第２レンズ３Ａにも径方向の圧縮力が作用する。そして、第１レンズ２及び第２レンズ３Ａと鏡筒５とで材料が相違することに起因して、温度変化に応じた第１レンズ２及び第２レンズ３Ａの膨張又は収縮と鏡筒５の膨張又は収縮との間に差が生じ、膨張又は収縮の差は第１レンズ２及び第２レンズ３Ａに作用する圧縮力を増減させる。
【００２４】
このように変化する圧縮力に起因して第１レンズ２及び第２レンズ３Ａの光学面が歪むことを抑制することにより、第１レンズ２及び第２レンズ３Ａそれぞれの光学性能、並びに光学ユニット１の光学性能を高めることができる。特に、絞り４に隣設されている第２レンズ３Ａが光学ユニット１の光学性能に及ぼす影響は、第１レンズ２が光学ユニット１の光学性能に及ぼす影響よりも相対的に大きい。すなわち、光学ユニット１の光学性能を高めるうえで、第２レンズ３Ａの光学面の歪を抑制することが効果的である。以下では、第２レンズ３Ａを例に、圧縮力に起因して光学面が歪むことを抑制するためのレンズの構成を説明する。無論、以下に説明するレンズの構成は、同じく鏡筒５に圧入される第１レンズ２にも適用可能である。
【００２５】
図２は、第２レンズ３Ａの詳細な構成を示す。
【００２６】
第２レンズ３Ａは、光軸ｘと平行な最外周面２０Ａと、被写体側に配置される第１光学面２１と、像側に配置される第２光学面２２と、第１光学面２１の外縁Ｅ１と最外周面２０Ａの光軸方向の一端Ｅ３との間の第１フランジ面２３と、第２光学面２２の外縁Ｅ２と最外周面２０Ａの光軸方向の他端Ｅ４との間の第２フランジ面２４とを備える。本例では、第１光学面２１は凸球面状に形成されており、第２光学面２２は凹球面状に形成されている。なお、第１光学面２１及び第２光学面２２の形状の組み合わせは特に限定されず、光学ユニット１の設計に応じて凸球面、凹球面、非球面、及び平坦面の適宜な組み合わせを取り得る。
【００２７】
最外周面２０Ａは、図１に示した光学ユニット１において鏡筒５の第２レンズ固定部１１に嵌合する面である。最外周面２０Ａに対向する鏡筒５の領域としての第２レンズ固定部１１は軸方向全長に亘って一定の内径に形成されており、最外周面２０Ａは光軸方向全長に亘って第２レンズ固定部１１に嵌合し、第２レンズ３Ａに作用する圧縮力は最外周面２０Ａの全体に負荷される。
【００２８】
第１光学面２１の光軸ｘとの交点Ｐ１と第２光学面２２の光軸ｘとの交点Ｐ２との間の中点を第２レンズ３Ａの中心Ｏとして、第２レンズ３Ａでは、最外周面２０Ａに負荷される圧縮力に起因する中心Ｏまわりの曲げモーメントが抑制される。これにより、第２レンズ３Ａの撓みが抑制され、第１光学面２１及び第２光学面２２の歪が抑制される。
【００２９】
そして、最外周面２０Ａに負荷される分布荷重としての圧縮力を、最外周面２０Ａを光軸方向に二等分する円周Ｃ１に負荷される等価な集中荷重に置き換えて、この集中荷重が負荷される円周Ｃ１と中心Ｏとの光軸方向のずれが縮小されることによって中心Ｏまわりの曲げモーメントが抑制されている。
【００３０】
まず、第１光学面２１の光軸ｘとの交点Ｐ１を通り光軸ｘと直交する平面を第１面Ｓ１とし、第２光学面２２の光軸ｘとの交点Ｐ２を通り光軸ｘと直交する平面を第２面Ｓ２とし、第１面Ｓ１と第２面Ｓ２との間の中央を通り光軸ｘと直交する平面、すなわち中心Ｏを通り光軸ｘと直交する平面をレンズ中心面ＳＳ１として、レンズ中心面ＳＳ１は最外周面２０Ａと交差している。
【００３１】
また、レンズ中心面ＳＳ１から光軸方向に最も離れた第１フランジ面２３上の点を通り光軸ｘと直交する平面を第３面Ｓ３とし、レンズ中心面ＳＳ１から光軸方向に最も離れた第２フランジ面２４上の点を通り光軸ｘと直交する平面を第４面Ｓ４とし、第３面Ｓ３と第４面Ｓ４との間の中央を通り光軸ｘと直交する面をフランジ中心面ＳＳ２として、レンズ中心面ＳＳ１はフランジ中心面ＳＳ２に対して第３面Ｓ３側に偏倚している。
【００３２】
円周Ｃ１と中心Ｏとの光軸方向のずれ量Δは、少なくともレンズ中心面ＳＳ１のフランジ中心面ＳＳ２に対する偏倚量より小さくされる。そして、中心Ｏを通るレンズ中心面ＳＳ１が最外周面２０Ａと交差していることにより、例えば円周Ｃ１の光軸上の位置が中心Ｏの位置と実質的に一致する程に、円周Ｃ１と中心Ｏとの光軸方向のずれ量Δを小さくすることが可能となる。以下、円周Ｃ１と中心Ｏとの光軸方向のずれ量Δを小さくするための構成について説明する。
【００３３】
第１フランジ面２３は、第３面Ｓ３から第１面Ｓ１までの範囲に設けられている。なお、第３面Ｓ３から第１面Ｓ１までの範囲には第３面Ｓ３及び第１面Ｓ１が含まれる。本例では、第１面Ｓ１が通る交点Ｐ１を与える第１光学面２１が凸球面状に形成されており、第３面Ｓ３は、レンズ中心面ＳＳ１から光軸方向に最も離れた第１フランジ面２３上の点を通る平面であることから、第１フランジ面２３は、第３面Ｓ３に包含され、凹部を有しない平坦面となっている。
【００３４】
一方、第２フランジ面２４は、光軸ｘを中心とする環状の第２フランジ面側凹部２５Ａを有する。そして、第２フランジ面側凹部２５Ａの底２６は、レンズ中心面ＳＳ１よりも第４面Ｓ４側に配置されている。なお、第２フランジ面側凹部の底とは、第２フランジ面側凹部のなかで第４面Ｓ４（レンズ中心面ＳＳ１から光軸方向に最も離れた第２フランジ面２４上の点を通り光軸ｘと直交する平面）から光軸方向に最も離れている部分をいうものとする。本例では、第２フランジ面側凹部２５Ａは、第２フランジ面２４の外縁に沿って設けられる面取り部として構成されており、第２フランジ面側凹部２５Ａの底２６は、最外周面２０Ａの第５面Ｓ５側の一端Ｅ４に一致している。
【００３５】
仮に第２フランジ面側凹部２５Ａが第２フランジ面２４に設けられていないとすると、第２レンズ３Ａの最外周面は第３面Ｓ３から第４面Ｓ４に跨って設けられる。したがって、最外周面に負荷される圧縮力を、最外周面を光軸方向に二等分する円周に負荷される等価な集中荷重に置き換えた際に、この集中荷重が負荷される円周はフランジ中心面ＳＳ２上に配置される。
【００３６】
これに対し、第２フランジ面側凹部２５Ａが第２フランジ面２４に設けられている場合に、最外周面２０Ａ及び最外周面２０Ａ上の円周Ｃ１は、第２フランジ面側凹部２５Ａが第２フランジ面２４に設けられていない場合と比較して第３面Ｓ３側に寄せられる。これにより、円周Ｃ１と中心Ｏとの光軸方向のずれ量Δは、レンズ中心面ＳＳ１のフランジ中心面ＳＳ２に対する偏倚量よりも小さくなる。
【００３７】
そして、第２フランジ面側凹部２５Ａの底２６の光軸方向の位置を適宜調整することにより、例えば円周Ｃ１の光軸上の位置が中心Ｏの位置と実質的に一致する程に、円周Ｃ１と中心Ｏとの光軸方向のずれ量Δを小さくできる。これにより、最外周面２０Ａに負荷される圧縮力に起因する中心Ｏまわりの曲げモーメントを抑制でき、ひいては第２レンズ３Ａの撓みを抑制して第１光学面２１及び第２光学面２２の歪を抑制できる。
【００３８】
本例では第２光学面２２が凹球面状に形成されており、このように少なくとも一方の光学面が凹面であるレンズは、構造的に、最外周面に負荷される径方向の圧縮力に起因して撓みやすい。上述した第２レンズ３Ａの構成は、少なくとも一方の光学面が凹面であるレンズの撓みを抑制するのに特に有用である。
【００３９】
以上のように第２レンズ３Ａの撓みが抑制された光学ユニット１は、車載用又は監視用の光学ユニットとして好適である。車載用又は監視用の光学ユニットは、比較的高温に晒される環境下で使用され、レンズと鏡筒との間の膨張の差が比較的大きく、鏡筒に圧入されたレンズに負荷される圧縮力もまた比較的大きい。しかし、光学ユニット１によれば、第２レンズ３Ａに負荷される圧縮力に起因した中心Ｏまわりの曲げモーメントが抑制されることによって第２レンズ３Ａの撓みが抑制されており、これにより、高温に晒された際にも光学ユニット１の光学性能を維持することができる。
【００４０】
中心Ｏまわりの曲げモーメントを抑制する観点から、円周Ｃ１の光軸上の位置は中心Ｏの位置と実質的に一致していることが好ましい。なお、円周Ｃ１の光軸上の位置が中心Ｏの位置と実質的に一致するとは、中心Ｏまわりの曲げモーメントに基づく第２レンズ３Ａの撓みが無視し得る程度に曲げモーメントが抑制される範囲で円周Ｃ１と中心Ｏとの光軸方向の僅かなずれは含むものであり、具体的には下式を満たすことを意味する。
｜Ｄ３×０．５−Ｄ２｜≦Ｄ１×０．１０・・・（１）
【００４１】
ここで、第２フランジ面側凹部２５Ａの底２６を通り光軸ｘと直交する平面を第５面Ｓ５として、式（１）のＤ１は、第１面Ｓ１と第２面Ｓ２との間の距離であり、Ｄ２は、第５面Ｓ５とレンズ中心面ＳＳ１との間の距離であり、Ｄ３は、第５面Ｓ５と第３面Ｓ３との間の距離である。そして、式（１）の左辺｜Ｄ３×０．５−Ｄ２｜が、円周Ｃ１と中心Ｏとの光軸方向のずれ量Δに相当する。
【００４２】
図３は、第２レンズ３Ａの、ずれ量Δ（｜Ｄ３×０．５−Ｄ２｜）と第１光学面２１の面形状変化量ωとの関係を示す。
【００４３】
光軸ｘからの径方向距離をＹとし、無負荷状態と最外周面２０Ａに圧縮力が負荷された状態との間で第１光学面２１上の距離Ｙの点における光軸方向の変位量を面形状変化量ω（Ｙ）として、面形状変化量ω（Ｙ）は、下式に示すように、ずれ量Δ及び距離Ｙの二乗に比例し、βに反比例する。
ω（Ｙ）＝Δ・ｆ（Ｙ＾２）・１／β・・・（ｉ）
なお、βは、第２レンズ３Ａの剛性係数であり、剛性係数βは、レンズの形状（凸又は凹、曲率、等）に依存する変数であって０＜β≦１である。また、面形状変化量ωの単位はミクロンメートルであり、ずれ量Δ及び距離Ｙの単位はいずれもミリメートルである。
【００４４】
図３に示すグラフは、第２レンズ３Ａが樹脂材料からなるものとし、車載用又は監視用としての一般的な光学ユニットを考慮して、第１光学面２１を外径φ５ｍｍとし、最外周面２０Ａに負荷される圧縮力と等価な円周Ｃ１に負荷される分布荷重を４．４ＭＰａとして、式（ｉ）に基づき、複数のずれ量Δにおける面形状変化量ωを計算により求めたものである。
【００４５】
図３から分かるとおり、ずれ量ΔがＤ１×０．１０以下であれば、第１光学面２１の最外周部でも面形状変化量ωが１μｍ以下に収まり、第１光学面２１の面形状変化によっても第２レンズ３Ａの光学性能を維持できる。
【００４６】
図４は、上述した第２レンズ３Ａの変形例を示す。
【００４７】
図４に示す第２レンズ３Ｂでは、面取り部として構成される第２フランジ面側凹部２５Ａに替えて、溝として構成されている第２フランジ面側凹部２５Ｂが第２フランジ面２４に設けられている。そして、第２フランジ面側凹部２５Ｂが溝として構成されることに伴い、第２レンズ３Ｂの最外周面２０Ｂは第３面Ｓ３から第４面Ｓ４に跨って設けられている。
【００４８】
最外周面２０Ｂのうち第２フランジ面側凹部２５Ｂと径方向に重畳している重畳領域２０Ｂａ、及び第２フランジ面側凹部２５Ｂと径方向に非重畳である非重畳領域２０Ｂｂのいずれにも圧縮力が負荷されるが、重畳領域２０Ｂａに負荷される圧縮力の大部分は、溝として構成されている第２フランジ面側凹部２５Ｂが変形することによって吸収され、第２レンズ３Ｂの撓みは、主として非重畳領域２０Ｂｂに負荷される圧縮力によって支配される。
【００４９】
そこで、第２レンズ３Ｂの撓みとの関係では、非重畳領域２０Ｂｂに負荷される圧縮力を、非重畳領域２０Ｂｂを光軸方向に二等分する円周Ｃ２に負荷される等価な集中荷重に置き換えて、この集中荷重が負荷される円周Ｃ２と中心Ｏとの光軸方向のずれを縮小すればよい。そして、第２フランジ面側凹部２５Ｂの底２６の光軸方向の位置を適宜調整することにより、例えば円周Ｃ２の光軸上の位置が中心Ｏの位置と実質的に一致する程に、円周Ｃ２と中心Ｏとの光軸方向のずれ量Δを小さくできる。これにより、最外周面２０Ｂに負荷される圧縮力に起因する中心Ｏまわりの曲げモーメントを抑制でき、ひいては第２レンズ３Ｂの撓みを抑制して第１光学面２１及び第２光学面２２の歪を抑制できる。
【００５０】
また、本例では、第２フランジ面側凹部２５Ｂが溝として構成されることに伴い、最外周面２０Ｂは、第３面Ｓ３から第４面Ｓ４に跨って設けられており、図２に示した第２レンズ３Ａの最外周面２０Ａよりも光軸方向に延長されている。これにより、最外周面２０Ｂと鏡筒５の第２レンズ固定部１１との嵌合代が延長され、鏡筒５に圧入された第２レンズ３Ｂの倒れ、すなわち鏡筒５の中心軸に対する第２レンズ３Ｂの光軸ｘの傾きを抑制することができ、光学ユニットの光学性能を一層高めることができる。
【００５１】
中心Ｏまわりの曲げモーメントを抑制する観点から、円周Ｃ２の光軸上の位置は中心Ｏの位置と実質的に一致し、具体的には式（１）を満たすことが好ましい。ただし、式（１）の距離Ｄ３を規定する第５面Ｓ５は、第２フランジ面側凹部２５Ｂの底２６を通り光軸ｘと直交する平面とする。また、第２フランジ面側凹部２５Ｂが溝として構成されることにより、第２レンズ３Ｂのフランジ部（第１フランジ面２３及び第２フランジ面２４によって光軸方向に挟まれている部分）には括れが形成される。この括れによってフランジ部の強度が低下することを抑制する観点では、第２フランジ面側凹部２５Ｂの底２６は、第２面Ｓ２上又は第２面Ｓ２よりも第４面Ｓ４側に配置されていることが好ましい。
【００５２】
図示の例では、円周Ｃ２の光軸上の位置を中心Ｏの位置に一致させるべく、第２フランジ面側凹部２５Ｂの底２６が、第２面Ｓ２を挟んで第４面Ｓ４側とは反対側に配置されているが、中心Ｏまわりの曲げモーメントの抑制及びフランジ部の強度の確保のバランスをとって第２フランジ面側凹部２５Ｂの底２６の光軸方向の位置を調整すればよい。
【００５３】
上述した第２レンズ３Ａ及び第２レンズ３Ｂでは、一方のフランジ面（第２フランジ面２４）にのみ凹部が設けられているが、レンズの両方のフランジ面に凹部が設けられてもよい。以下、図５を参照して、レンズの両方のフランジ面に凹部が設けられる場合について説明する。
【００５４】
図５は、本発明の実施形態を説明するための、レンズの他の例を示す。
【００５５】
図５に示すレンズ１０３は、光学ユニットの複数の光学素子の一つとして用いられるレンズであり、鏡筒１０５のレンズ固定部１１１に圧入されることによって鏡筒１０５に固定されている。
【００５６】
レンズ１０３は、光軸ｘと平行な最外周面１２０と、被写体側に配置される第１光学面１２１と、像側に配置される第２光学面１２２と、第１光学面１２１の外縁Ｅ１と最外周面１２０の光軸方向の一端Ｅ３との間の第１フランジ面１２３と、第２光学面１２２の外縁Ｅ２と最外周面１２０の光軸方向の他端Ｅ４との間の第２フランジ面１２４とを備え、第１光学面１２１及び第２光学面１２２は、いずれも凹球面状に形成されている。
【００５７】
第１光学面１２１の光軸ｘとの交点Ｐ１を通り光軸ｘと直交する平面を第１面Ｓ１とし、第２光学面１２２の光軸ｘとの交点Ｐ２を通り光軸ｘと直交する平面を第２面Ｓ２とし、第１面Ｓ１と第２面Ｓ２との間の中央を通り光軸ｘと直交する平面、すなわち中心Ｏを通り光軸ｘと直交する平面をレンズ中心面ＳＳ１として、レンズ中心面ＳＳ１は最外周面１２０と交差している。
【００５８】
また、レンズ中心面ＳＳ１から光軸方向に最も離れた第１フランジ面１２３上の点を通り光軸ｘと直交する平面を第３面Ｓ３とし、レンズ中心面ＳＳ１から光軸方向に最も離れた第２フランジ面１２４上の点を通り光軸ｘと直交する平面を第４面Ｓ４とし、第３面Ｓ３と第４面Ｓ４との間の中央を通り光軸ｘと直交する面をフランジ中心面ＳＳ２として、レンズ中心面ＳＳ１はフランジ中心面ＳＳ２に対して第３面Ｓ３側に偏倚している。
【００５９】
そして、第１フランジ面１２３は、光軸ｘを中心とする環状の第１フランジ面側凹部１２７を有し、第１フランジ面側凹部１２７を含めて第３面Ｓ３から第１面Ｓ１までの範囲に設けられている。すなわち、第１フランジ面側凹部１２７の底１２８は、第１面Ｓ１上又は第１面Ｓ１よりも第３面Ｓ３側に配置されている。第１フランジ面側凹部１２７は、第１フランジ面１２３の外縁に沿って設けられる面取り部として構成されてもよいが、本例では溝として構成されている。
【００６０】
第２フランジ面１２４もまた、光軸ｘを中心とする環状の第２フランジ面側凹部１２５を有し、第２フランジ面側凹部１２５の底１２６は、レンズ中心面ＳＳ１よりも第４面Ｓ４側に配置されている。第２フランジ面側凹部１２５は、第２フランジ面１２４の外縁に沿って設けられる面取り部として構成されてもよいが、本例では溝として構成されている。
【００６１】
鏡筒１０５のレンズ固定部１１１は、軸方向全長に亘って一定の内径に形成されており、最外周面１２０は光軸方向全長に亘ってレンズ固定部１１１に嵌合し、レンズ１０３に作用する圧縮力は最外周面１２０の全体、すなわち第１フランジ面側凹部１２７と径方向に重畳している第１重畳領域１２０ａ、第２フランジ面側凹部１２５と径方向に重畳している第２重畳領域１２０ｂ、及び第１フランジ面側凹部１２７及び第２フランジ面側凹部１２５と径方向に非重畳である非重畳領域１２０ｃのいずれにも負荷される。ただし、レンズ１０３の撓みは、主として非重畳領域１２０ｃに負荷される圧縮力によって支配される。
【００６２】
そこで、レンズ１０３の撓みとの関係では、非重畳領域１２０ｃに負荷される圧縮力を、非重畳領域１２０ｃを光軸方向に二等分する円周Ｃ３に負荷される等価な集中荷重に置き換えて、この集中荷重が負荷される円周Ｃ３と中心Ｏとの光軸方向のずれを縮小すればよい。そして、第１フランジ面側凹部１２７の底１２８、及び第２フランジ面側凹部１２５の底１２６それぞれの光軸方向の位置を適宜調整することにより、例えば円周Ｃ３の光軸上の位置が中心Ｏの位置と実質的に一致する程に、円周Ｃ３と中心Ｏとの光軸方向のずれ量Δを小さくできる。これにより、最外周面１２０に負荷される圧縮力に起因する中心Ｏまわりの曲げモーメントを抑制でき、ひいてはレンズ１０３の撓みを抑制して第１光学面１２１及び第２光学面１２２の歪を抑制できる。そして、このように撓みが抑制されたレンズ１０３を備える光学ユニットは、上述した光学ユニット１と同様、車載用又は監視用の光学ユニットとして好適である。
【００６３】
中心Ｏまわりの曲げモーメントを抑制する観点から、円周Ｃ３の光軸上の位置は中心Ｏの位置と実質的に一致し、具体的には下式を満たすことが好ましい。
｜Ｄ４×０．５−Ｄ２｜≦Ｄ１×０．１０・・・（２）
【００６４】
ここで、第２フランジ面側凹部１２５の底１２６を通り光軸ｘと直交する平面を第５面Ｓ５とし、第１フランジ面側凹部１２７の底１２８を通り光軸ｘと直交する平面を第６面Ｓ６とし、式（２）のＤ１は、第１面Ｓ１と第２面Ｓ２との間の距離であり、Ｄ２は、第５面Ｓ５とレンズ中心面ＳＳ１との間の距離であり、Ｄ４は、第５面Ｓ５と第６面Ｓ６との間の距離である。そして、式（２）の左辺｜Ｄ４×０．５−Ｄ２｜が、円周Ｃ３と中心Ｏとの光軸方向のずれ量Δに相当する。
【００６５】
図６は、図５に示したレンズ１０３の、ずれ量Δ（｜Ｄ４×０．５−Ｄ２｜）と第１光学面１２１の面形状変化量ωとの関係を示す。
【００６６】
光軸ｘからの径方向距離をＹとし、無負荷状態と最外周面１２０に圧縮力が負荷された状態との間で第１光学面１２１上の距離Ｙの点における光軸方向の変位量を面形状変化量ω（Ｙ）として、面形状変化量ω（Ｙ）は、下式に示すように、ずれ量Δ及び距離Ｙの二乗に比例し、βに反比例する。
ω（Ｙ）＝Δ・ｆ（Ｙ＾２）・１／β・・・（ｉｉ）
なお、βは、レンズ１０３の剛性係数であり、剛性係数βは、レンズの形状（凸又は凹、曲率、等）に依存する変数であって０＜β≦１である。また、面形状変化量ωの単位はミクロンメートルであり、ずれ量Δ及び距離Ｙの単位はいずれもミリメートルである。
【００６７】
図６に示すグラフは、レンズ１０３が樹脂材料からなるものとし、車載用又は監視用としての一般的な光学ユニットを考慮して、第１光学面１２１を外径φ３．５ｍｍとし、最外周面１２０に負荷される圧縮力と等価な円周Ｃ３に負荷される分布荷重を５．０ＭＰａとして、式（ｉｉ）に基づき、複数のずれ量Δにおける面形状変化量ωを計算により求めたものである。
【００６８】
図６から分かるとおり、ずれ量ΔがＤ１×０．１０以下であれば、第１光学面１２１の最外周部でも面形状変化量ωが１μｍ以下に収まり、第１光学面１２１の面形状変化によってもレンズ１０３の光学性能を維持できる。
【００６９】
なお、第２フランジ面側凹部１２５が溝として構成されていることにより、レンズ１０３のフランジ部（第１フランジ面１２３及び第２フランジ面１２４によって光軸方向に挟まれている部分）に括れが形成されるが、この括れによってフランジ部の強度が低下することを抑制する観点から、第２フランジ面側凹部１２５の底１２６は、第２面Ｓ２上又は第２面Ｓ２よりも第４面Ｓ４側に配置されていることが好ましい。
【００７０】
溝として構成されている第１フランジ面側凹部１２７についても同様であり、本例では、第１フランジ面側凹部１２７の底１２８が、第３面Ｓ３から第１面Ｓ１までの範囲、すなわち第１面上又は第１面Ｓ１よりも第３面Ｓ３側に配置されており、フランジ部の強度が確保されている。
【００７１】
ここまで、レンズの一方のフランジ面又は両方のフランジ面に凹部が設けられ、レンズ単独で中心Ｏまわりの曲げモーメントが抑制される場合について説明したが、レンズの最外周面と鏡筒のレンズ固定部との嵌合を利用して中心Ｏまわりの曲げモーメントを抑制することもできる。以下、図７を参照して、レンズの最外周面と鏡筒のレンズ固定部との嵌合を利用して中心Ｏまわりの曲げモーメントを抑制する場合について説明する。
【００７２】
図７は、本発明の実施形態を説明するための、光学ユニットの他の例の要部を示す。
【００７３】
図７に示すレンズ２０３は、光学ユニットの複数の光学素子の一つとして用いられるレンズであり、鏡筒２０５のレンズ固定部２１１に圧入されることによって鏡筒２０５に固定されている。
【００７４】
レンズ２０３は、光軸ｘと平行な最外周面２２０と、被写体側に配置される第１光学面２２１と、像側に配置される第２光学面２２２と、第１光学面２２１の外縁Ｅ１と最外周面２２０の光軸方向の一端Ｅ３との間の第１フランジ面２２３と、第２光学面２２２の外縁Ｅ２と最外周面２２０の光軸方向の他端Ｅ４との間の第２フランジ面２２４とを備え、第１光学面２２１及び第２光学面２２２は、いずれも凹球面状に形成されている。レンズ２０３では、第１フランジ面２２３が第１フランジ面側凹部を有しない平坦面とされており、レンズ２０３と図５に示したレンズ１０３とは第１フランジ面側凹部の有無に関して相違しており、他の構成に関しては同一である。
【００７５】
鏡筒２０５のレンズ固定部２１１は、レンズ２０３の最外周面２２０の第４面Ｓ４側の一部と嵌合した状態でレンズ２０３が圧入され且つレンズ中心面ＳＳ１と交差している嵌合部２１４と、レンズ２０３の最外周面２２０の第３面Ｓ３側の残部との間に隙間をあけて対向する非嵌合部２１５とを有する。したがって、レンズ２０３に作用する圧縮力は、最外周面２２０のうちレンズ固定部２１１の嵌合部２１４に嵌合している嵌合領域２２０ａに負荷される。
【００７６】
そして、最外周面２２０の嵌合領域２２０ａに負荷される圧縮力は、第２フランジ面側凹部２２５と径方向に重畳している重畳領域２２０ｂ、及び第２フランジ面側凹部２２５と径方向に非重畳である非重畳領域２２０ｃのいずれにも負荷されるが、上記のとおり、レンズ２０３の撓みは、主として非重畳領域２２０ｃに負荷される圧縮力によって支配される。
【００７７】
そこで、レンズ２０３の撓みとの関係では、非重畳領域２２０ｃに負荷される圧縮力を、非重畳領域２２０ｃを光軸方向に二等分する円周Ｃ４に負荷される等価な集中荷重に置き換えて、この集中荷重が負荷される円周Ｃ４と中心Ｏとの光軸方向のずれを縮小すればよい。そして、第２フランジ面側凹部２２５の底２２６の光軸方向の位置、及び鏡筒２０５の嵌合部２１４及び非嵌合部２１５それぞれの光軸方向長さの比率を適宜調整することにより、例えば円周Ｃ４の光軸上の位置が中心Ｏの位置と実質的に一致する程に、円周Ｃ４と中心Ｏとの光軸方向のずれ量Δを小さくできる。これにより、最外周面２２０に負荷される圧縮力に起因する中心Ｏまわりの曲げモーメントを抑制でき、ひいてはレンズ２０３の撓みを抑制して第１光学面２２１及び第２光学面２２２の歪を抑制できる。そして、このように撓みが抑制されたレンズ２０３を備える光学ユニットは、上述した光学ユニット１と同様、車載用又は監視用の光学ユニットとして好適である。
【００７８】
中心Ｏまわりの曲げモーメントを抑制する観点から、円周Ｃ４の光軸上の位置は中心Ｏの位置と実質的に一致し、具体的には下式を満たすことが好ましい。
｜Ｄ５×０．５−Ｄ２｜≦Ｄ１×０．１０・・・（３）
【００７９】
ここで、第２フランジ面側凹部２２５の底２２６を通り光軸ｘと直交する平面を第５面Ｓ５とし、嵌合部２１４と非嵌合部２１５との境界を通り光軸ｘと直交する面を第７面Ｓ７として、式（３）のＤ１は、第１面Ｓ１と第２面Ｓ２との間の距離であり、Ｄ２は、第５面Ｓ５とレンズ中心面ＳＳ１との間の距離であり、Ｄ５は、第５面Ｓ５と第７面Ｓ７との間の距離である。そして、式（３）の左辺｜Ｄ５×０．５−Ｄ２｜が、円周Ｃ４と中心Ｏとの光軸方向のずれ量Δに相当する。
【００８０】
以上説明したとおり、本明細書に開示されたレンズは、光軸と平行な最外周面と、一方の第１光学面の外縁と上記最外周面の光軸方向の一端との間の第１フランジ面と、他方の第２光学面の外縁と上記最外周面の光軸方向の他端との間の第２フランジ面と、を備え、上記光軸と上記第１光学面との交点を通り上記光軸と直交する平面を第１面とし、上記光軸と上記第２光学面との交点を通り上記光軸と直交する平面を第２面とし、上記第１面と上記第２面との間の中央を通り上記光軸と直交する平面をレンズ中心面として、上記レンズ中心面は上記最外周面と交差しており、上記レンズ中心面から光軸方向に最も離れた上記第１フランジ面上の点を通り上記光軸と直交する平面を第３面とし、上記レンズ中心面から光軸方向に最も離れた上記第２フランジ面上の点を通り上記光軸と直交する平面を第４面とし、上記第３面と上記第４面との間の中央を通り上記光軸と直交する面をフランジ中心面として、上記レンズ中心面は上記フランジ中心面に対して上記第３面側に偏倚しており、上記第１フランジ面は、上記第３面から上記第１面までの範囲に設けられており、上記第２フランジ面は、上記光軸を中心とする環状の第２フランジ面側凹部を有し、上記第２フランジ面側凹部の底は、上記レンズ中心面よりも上記第４面側に配置されている。
【００８１】
また、本明細書に開示されたレンズは、上記第２フランジ面側凹部は溝である。
【００８２】
また、本明細書に開示されたレンズは、上記第２光学面は凹面であり、上記第２フランジ面側凹部の底は、上記第２面上又は上記第２面よりも上記第４面側に配置されている。
【００８３】
また、本明細書に開示されたレンズは、上記第２フランジ面側凹部の底を通り上記光軸と直交する平面を第５面とし、上記第１面と上記第２面との間の距離をＤ１とし、上記第５面と上記レンズ中心面との間の距離をＤ２とし、上記第５面と上記第３面との間の距離をＤ３として、下式を満たす。
｜Ｄ３×０．５−Ｄ２｜≦Ｄ１×０．１０
【００８４】
また、本明細書に開示されたレンズは、上記第１フランジ面は、上記光軸を中心とする環状の第１フランジ面側凹部を有する。
【００８５】
また、本明細書に開示されたレンズは、上記第１フランジ面側凹部及び上記第２フランジ面側凹部の少なくとも一方は、溝である。
【００８６】
また、本明細書に開示されたレンズは、上記第２フランジ面側凹部の底を通り上記光軸と直交する平面を第５面とし、上記第１フランジ面側凹部の底を通り上記光軸と直交する平面を第６面とし、上記第１面と上記第２面との間の距離をＤ１とし、上記第５面と上記レンズ中心面との間の距離をＤ２とし、上記第５面と上記第６面との間の距離をＤ４として、下式を満たす。
｜Ｄ４×０．５−Ｄ２｜≦Ｄ１×０．１０
【００８７】
また、本明細書に開示された光学ユニットは、上記レンズを含む一つ以上の光学素子と、上記光学素子を収容している鏡筒と、を備え、上記レンズの上記最外周面に対向する上記鏡筒の領域をレンズ固定部として、上記レンズ固定部は、上記レンズの上記最外周面の上記第４面側の一部と嵌合した状態で上記レンズが圧入されており且つ上記レンズ中心面と交差している嵌合部と、上記レンズの上記最外周面の上記第３面側の残部との間に隙間をあけて対向する非嵌合部とを有する。
【００８８】
また、本明細書に開示された光学ユニットは、上記第２フランジ面側凹部の底を通り上記光軸と直交する平面を第５面とし、上記嵌合部と上記非嵌合部との境界を通り上記光軸と直交する面を第７面とし、上記第１面と上記第２面との間の距離をＤ１とし、上記第５面と上記レンズ中心面との間の距離をＤ２とし、上記第５面と上記第７面との間の距離をＤ５として、下式を満たす。
｜Ｄ５×０．５−Ｄ２｜≦Ｄ１×０．１０
【００８９】
また、本明細書に開示された光学ユニットは、上記レンズを含む複数の光学素子と、上記光学素子を収容している鏡筒と、を備え、上記レンズの上記最外周面に対向する上記鏡筒の領域をレンズ固定部として、上記レンズ固定部は、上記レンズの上記最外周面の全体と嵌合した状態で上記レンズが圧入されている。
【００９０】
また、本明細書に開示された光学ユニットは、上記光学素子に絞りを含み、上記レンズは上記絞りに隣設されている。
【００９１】
また、本明細書に開示された光学ユニットは、車載用又は監視用である。
【符号の説明】
【００９２】
１  光学ユニット
２  第１レンズ
３Ａ  第２レンズ
３Ｂ  第２レンズ
５  鏡筒
１０  第１レンズ固定部
１１  第２レンズ固定部
１２  第１段部
１３  第２段部
２０Ａ  最外周面
２０Ｂ  最外周面
２０Ｂａ  重畳領域
２０Ｂｂ  非重畳領域
２１  第１光学面
２２  第２光学面
２３  第１フランジ面
２４  第２フランジ面
２５Ａ  第２フランジ面側凹部
２５Ｂ  第２フランジ面側凹部
２６  第２フランジ面側凹部の底
１０３  レンズ
１０５  鏡筒
１１１  レンズ固定部
１２０  最外周面
１２０ａ  第１重畳領域
１２０ｂ  第２重畳領域
１２０ｃ  非重畳領域
１２１  第１光学面
１２２  第２光学面
１２３  第１フランジ面
１２４  第２フランジ面
１２５  第２フランジ面側凹部
１２６  第２フランジ面側凹部の底
１２７  第１フランジ面側凹部
１２８  第１フランジ面側凹部の底
２０３  レンズ
２０５  鏡筒
２１１  レンズ固定部
２１４  嵌合部
２１５  非嵌合部
２２０  最外周面
２２０ａ  嵌合領域
２２０ｂ  重畳領域
２２０ｃ  非重畳領域
２２１  第１光学面
２２２  第２光学面
２２３  第１フランジ面
２２４  第２フランジ面
２２５  第２フランジ面側凹部
２２６  第２フランジ面側凹部の底
Ｃ１，Ｃ２，Ｃ３，Ｃ４  円周
Ｄ１，Ｄ２，Ｄ３  距離
Ｅ１  第１光学面の外縁
Ｅ２  第２光学面の外縁
Ｅ３  最外周面の光軸方向の一端
Ｅ４  最外周面の光軸方向の他端
Ｏ  中心
Ｐ１  第１光学面の光軸との交点
Ｐ２  第２光学面の光軸との交点
Ｓ１  第１面
Ｓ２  第２面
Ｓ３  第３面
Ｓ４  第４面
Ｓ５  第５面
Ｓ６  第６面
Ｓ７  第７面
ＳＳ１  レンズ中心面
ＳＳ２  フランジ中心面
ｘ  光軸
Δ  ずれ量
【図１】
2018066907.tif 000003
【図２】
2018066907.tif 000004
【図３】
2018066907.tif 000005
【図４】
2018066907.tif 000006
【図５】
2018066907.tif 000007
【図６】
2018066907.tif 000008
【図７】
2018066907.tif 000009